(57)【要約】【課題】緯入れノズルの複数の整流部材の整流溝の数の最適化を図りつつ、併せて上流側と下流側の整流フィン同士の間の隙間寸法、給水孔の数と整流溝の数の各関係についても最適化を図ることである。【解決手段】ニードル１と、中空状に形成され、中空部３に貫通する給水孔１３を備える一方、中部にニードルが挿入されてニードルとの間に、給水孔に通じる環状室４を構成するノズル本体２と、緯糸進行方向に順番に環状室に配置される複数の整流部材５，６とからなり、各整流部材は、その円周方向に等間隔に設けられ軸方向にそれぞれ延在する複数の整流路１７，３０，２０を有する、流体噴射式織機の緯入れノズルにおいて、第一整流部材と第二整流部材の各整流路の数を、６以上４０以下で且つ互いに公約数を有しない数とする。【選択図】　　　図１
2004137638.tif 000002
【特許請求の範囲】
【請求項１】
導糸孔（１４）を有するニードル（１）と、
中空状に形成され、中空部（３）に貫通する給水孔（１３）を備える一方、中空部（３）にニードル（１）が挿入されてニードルとの間に、給水孔（１３）に通じる環状の流路を構成するノズル本体（２）と、
緯糸進行方向に順番に環状の流路に配置される複数の整流部材（５，６）とからなり、
各整流部材（５，６）は、その円周方向に等間隔に設けられ軸方向にそれぞれ延在する複数の整流路（１７，３０，２０）を有する、流体噴射式織機の緯入れノズルにおいて、
第一整流部材（５）と第二整流部材（６）の各整流路（１７，３０，２０）の数を、６以上４０以下で且つ互いに公約数を有しない数とすることを特徴とする流体噴射式織機の緯入れノズル。
【請求項２】
前記第一ならびに第二整流部材（５、６）は、円周方向に等間隔に設けられかつニードル（１）の外周面又はノズル本体（２）から他方の側および軸方向にそれぞれ延在する複数の整流フィン（１６，１９）を有し、隣接する整流フィンにより画定される整流溝（１７、２０）を前記整流路（１７，２０）として有することを特徴とする請求項１記載の流体噴射式織機の緯入れノズル。
【請求項３】
前記第一整流部材（５）は、円周方向に等間隔にかつ軸方向に延在して形成される整流孔（３０）を前記整流路として有し、前記第二整流部材（６）は、円周方向に等間隔に設けられかつニードル（１）の外周面又はノズル本体（２）から他方の側および軸方向にそれぞれ延在する複数の整流フィン（１９）を有し、隣接する整流フィンにより画定される整流溝（２０）を前記整流路（２０）として有することを特徴とする請求項１記載の流体噴射式織機の緯入れノズル。
【請求項４】
給水孔（１３）の数を４以上２６以下とする一方、第一整流部材（５）の整流路（１７，３０）の数を、給水孔（１３）の数の１倍以上の整数倍の数とし、且つ給水孔（１３）の中心と第一整流部材の整流フィン（１６）あるいは整流路（１７，３０）のうちいずれかの中心を一致することを特徴とする請求項１から３のいずれか１項に記載の流体噴射式織機の緯入れノズル。
【請求項５】
給水孔（１３）の数を４以上２６以下とする一方、第一整流部材（５）の整流路（１７，３０）の数を、給水孔（１３）の数の１．５倍以上の数とし、且つ給水孔（１３）の数と第一整流部材の整流路（１７，３０）の数を、互いに公約数を有しない数とすることを特徴とする請求項１から３のいずれか１項に記載の流体噴射式織機の緯入れノズル。
【請求項６】
導糸孔（１４）を有するニードル（１）と、
中空状に形成され、中空部（３）に貫通する給水孔（１３）を備える一方、中空部（３）にニードル（１）が挿入されてニードルとの間に、給水孔（１３）に通じる環状の流路を構成するノズル本体（２）と、
緯糸進行方向に順番に環状の流路に配置される複数の整流部材（５，６）とからなり、
各整流部材（５，６）は、その円周方向に等間隔に設けられ且つニードル（１）の外周面又はノズル本体（２）の内周面のいずれか一方から他方の側及び軸方向にそれぞれ延在する複数の整流フィン（１６，１９）を有し、隣接する整流フィンにより画定される整流溝（１７，２０）を整流路（１７，２０）として有する、流体噴射式織機の緯入れノズルにおいて、
第一整流部材（５）と第二整流部材（６）の各整流路（１７，２０）の数を、６以上４０以下で且つ第二整流部材（６）の整流路（２０）の数を、第一整流部材（５）の整流路（１７）の数に対してＫ倍あるいは１／Ｋ倍の整数に定めると共に、Ｋは２以上の整数とし、
第一整流部材の整流路（１７）あるいは整流フィン（１６）のうちいずれかの中心と、第二整流部材の整流路（２０）あるいは整流フィン（１９）のうちいずれかの中心とを一致することを特徴とする流体噴射式織機の緯入れノズル。
【請求項７】
導糸孔（１４）を有するニードル（１）と、
中空状に形成され、中空部（３）に貫通する給水孔（１３）を備える一方、中空部（３）にニードル（１）が挿入されてニードルとの間に給水孔（１３）に通じる環状の流路を構成するノズル本体（２）と、
緯糸進行方向に順番に環状の流路に配置される複数の整流部材（５，６）とからなり、
第一整流部材（５）は、円周方向に等間隔にかつ軸方向に延在すべく設けられる整流孔（３０）を整流路として有するとともに、第二整流部材（６）は、円周方向に等間隔に設けられかつニードル（１）の外周面又はノズル本体（２）から他方の側および軸方向にそれぞれ延在する複数の整流フィン（１９）を有し、隣接する整流フィンにより画定される整流溝（２０）を整流路（２０）として有する流体噴射式織機の緯入れノズルにおいて、
第一整流部材（５）と第二整流部材（６）の各整流路（３０，２０）の数を、６以上４０以下でかつ第二整流部材（６）の整流路（２０）の数を、第一整流部材（５）の整流路（１７）の数に対してＫ倍あるいは１／Ｋ倍の整数に定めるとともに、Ｋは２以上の整数とし、
第一整流部材の整流孔（３０）の中心と、第二整流部材の整流溝（２０）または整流フィン（１９）のうちいずれかの中心とを一致することを特徴とする流体噴射式織機の緯入れノズル。
【請求項８】
給水孔（１３）の数を４以上２６以下とする一方、第一整流部材（５）の整流路（１７，３０）の数を給水孔（１３）の数の１倍以上の整数倍の数とし、且つ給水孔（１３）の中心と第一整流部材（５）の整流フィン（１９）あるいは整流路（１７，３０）のうちいずれかの中心とを一致することを特徴とする請求項６または７記載の流体噴射式織機の緯入れノズル。
【請求項９】
第一整流部材（５）の整流路（１７，３０）と第二整流部材（６）の整流路（２０）との間には、隙間（２１）が設けてあることを特徴とする請求項１から８のうちいずれか１項に記載の流体噴射式織機の緯入れノズル。
【請求項１０】
第二整流部材（６）の整流路（２０）の数を第一整流部材（５）の整流路（１７，３０）の数よりも多くしてあることを特徴とする請求項１から９のうちいずれか１項に記載の流体噴射式織機の緯入れノズル。
【請求項１１】
第一整流部材（５）と第二整流部材（６）をノズル本体（２）又はニードル（１）に固定し、ノズル本体（２）とニードル（１）のうち整流部材（５，６）を固定する方と、第一整流部材（５）と、第二整流部材（６）の少なくとも２つに係合部（２２，２３）をそれぞれ設け、係合部が、給水孔（１３）の中心、第一整流部材（５）の整流路（１７，３０）あるいは整流フィン（１６）のうちいずれかの中心、及び第二整流部材（６）の整流路（２０）あるいは整流フィン（１９）のうちいずれかの中心のうち２以上を一致させることを特徴とする請求項４、６、７、８のうちいずれか１項に記載の流体噴射式織機の緯入れノズル。
【発明の詳細な説明】
【０００１】
【発明の属する技術分野】
本発明は、流体噴射式織機の緯入れノズルに関する。
【０００２】
【従来の技術】
従来の流体噴射式織機の緯入れノズルとしては、ノズル本体の中にニードルを挿入し、ニードルの先部とノズル本体の間に環状の流路を形成し、その流路に２つの整流部材を配置し、ノズル本体には適切な数の給水孔を流路の上流側に設け、下流側の整流部材とニードルとの間の噴射孔から流体を噴射するものがある。また、整流部材は、全体として円筒状で、放射状の整流フィンを円周方向に等間隔で設け、隣接する整流フィンの間に形成される整流溝に、流体を通過させるもので、上流側の整流部材は、整流フィンの数を１６枚とし、下流側の整流部材は、整流フィンの数を１８枚としてある（例えば、特許文献１参照。）。
【０００３】
【特許文献１】
特開２０００−１１９９３７号公報（第３頁左欄、第４頁右欄、第５図、第６図）
【０００４】
【発明が解決しようとする課題】
ところが、上述した従来のものは、上流側と下流側の整流溝の重なり具合（上流側の整流溝の中心と下流側の整流溝の中心との関係）については考慮してない。整流フィンの数が上流側と下流側の整流部材とで違うと、上流側と下流側の整流溝の重なり具合が、整流溝毎に異なってくる。そうすると、整流溝を通過する流体の流速が整流溝毎に異なって流体にニードルの周りに旋回流を生ずることになる結果、流量の多い部分と少ない部分とが発生して、噴射孔からのジェット流の断面形状が、真円から外れた形状になりやすい。特に、上流側の整流フィンの数と、下流側の整流フィンの数との間に、整数倍以外の公約数が存在する場合は、その傾向が顕著である。例えば、前述したように上流側の整流フィンの数が１６で、下流側の整流フィンの数が１８で、双方の数の公約数が２である場合に、上流側の整流溝の中心と下流側の整流溝の中心を一致すると、図１１に示すように、ジェット流の断面形状は、整流溝の中心の重なり具合が最も大きい位置で最も膨らむ、すなわち二方向に突出した扁平な形状となるものと予想される。ジェット流がこのように真円から外れた形状になると、拡散が大きくなったり、あるいは経糸開口に衝突して織物欠点（縦筋）が生ずるという問題がある。
【０００５】
また、上述した従来のものは、上流側と下流側の整流フィン同士の間の隙間寸法、給水孔の数と整流溝の数の関係や、給水孔と整流溝との連通具合（給水孔の中心と整流溝の中心との関係）についても何等述べていない。しかし、これらも上述した問題を生ずる要因となるものである。
【０００６】
そこで、本発明の解決課題は、複数の整流部材の整流溝の数の最適化を図りつつ、併せて上流側と下流側の整流フィン同士の間の隙間寸法、給水孔の数と整流溝の数の各関係についても最適化を図ることである。
【０００７】
【課題を解決するための手段】
請求項１に係る発明は、導糸孔を有するニードルと、中空状に形成され、中空部に貫通する給水孔を備える一方、中空部にニードルが挿入されてニードルとの間に、給水孔に通じる環状の流路を構成するノズル本体と、緯糸進行方向に順番に環状の流路に配置される複数の整流部材とからなり、各整流部材は、その円周方向に等間隔に設けられ軸方向にそれぞれ延在する複数の整流路を有する、流体噴射式織機の緯入れノズルにおいて、第一整流部材と第二整流部材の各整流路の数を、６以上４０以下で且つ互いに公約数を有しない数とすることを特徴とする。
【０００８】
本件の緯入れノズルとして、給水孔の数は、全体に１つ設けられるもの、複数設けられるもの、いずれも考えられる。整流部材は、ノズル本体とニードルの双方とは別体に形成されていても良いし、ノズル本体とニードルのいずれか一方と一体に形成されていても良い。従って、整流フィンを有するノズル本体の内周面とは、ノズル本体と整流部材が一体に形成されている場合には、ノズル本体の内周面そのものであるし、ノズル本体と整流部材が別体に形成され且つノズル本体に整流部材を圧入する場合には、整流部材の整流路のことである。整流フィンを有するニードルの外周面も、同様である。好ましくは、複数の整流部材を構成する第二整流部材は、請求項２、３に係る発明のように、円周方向に等間隔に設けられかつニードルの外周面又はノズル本体から他方の側および軸方向にそれぞれ延在する複数の整流フィンを有し、隣接する整流フィンにより画定される整流溝を整流路として構成される。これに対し、第一整流部材は、請求項２に係る発明のように、第二整流部材と同様に整流溝を整流路として構成される、あるいは請求項３に係る発明のように、円周方向に等間隔にかつ軸方向に延在して形成される整流孔を整流路として構成される。
【０００９】
また、整流フィンを有するニードルの外周面又はノズル本体の内周面は、緯糸進行方向に沿って径が小さくなるテーパー形状であっても良いし、緯糸進行方向に沿って径が同じ形状であっても良い。整流部材は複数設けるので、２個以上設ける。
【００１０】
第一整流部材の整流路の数と第二整流部材の整流路の数は、５以下では、整流路に当たる流体の流量が多くなって、流体の収束性が悪い。４１以上になると、整流フィンには流体によって曲がらない程度の厚みが必要なので、ノズル本体が大型化する。また、無理に小型化しようとすれば、整流フィンが薄くなって、流体によって振動が生じたり、強度や耐久性が悪くなる。従って、６以上４０以下であれば、流体の収束性や耐久性等も良いので、緯入れノズルの小型化が可能となる。
【００１１】
また、第一整流部材の整流路の数と、第二整流部材の整流路の数は、互いに公約数がないので、給水孔の中心と第一整流部材の整流路または整流フィンのいずれかの中心を合わせたとしても、中心同士が一致する数は最大１であり、公約数２が存在するものに比べて、その数が少ないことから、拡散の少ない断面形状となり、円形に近いジェット流が得られる。従って、給水孔の中心と第一整流部材の整流路の中心を合わせる作業が不要となる。
【００１２】
請求項４に係る発明は、給水孔の数を４以上２６以下とする一方、第一整流部材の整流路の数を、給水孔の数の１倍以上の整数倍の数とし、且つ給水孔の中心と第一整流部材の整流路あるいは整流フィンのうちいずれかの中心を一致することを特徴とする。
【００１３】
給水孔の数が第一整流部材の整流路の数よりも少ないとき、全ての整流路の中心を、給水孔の中心と一致させることは現実的には不可能であるが、ここでの「給水孔の中心と第一整流部材の整流路の中心を一致する」とは、給水孔の数と対応する個数の整流路の中心を、給水孔の中心と一致させることを意味する。また、中心の一致とは、ニードルの軸線方向を中心とする一つの放射線上に、双方の円周幅方向の中心が配置されていることをいう。
【００１４】
給水孔の数は３以下では給水孔当たりの流量が多くなり、乱流が生じやすい。２７以上になると、強度的な問題によりノズル本体が大型化する。従って、４以上２６以下の場合は、乱流を生ずることなく、ノズル本体を小型化できる。
【００１５】
第一整流部材の整流路の数を、給水孔の数の１倍以上の整数倍の数とし、且つ給水孔の中心と第一整流部材の整流路または整流フィンのいずれかの中心を一致すると、第一整流部材の全整流路から流出する流体は、全体としては旋回流が生じないものとなる。例えば、給水孔の数に対して整流路の数が２倍の場合で、上記効果の理由を詳しく説明する。給水孔の中心に対し第一整流部材のうち中心が一致する整流路には、流体が真っ直ぐに流れ込む。また、給水孔の中心に対し中心が一致しない整流路にも給水孔から流体が流れ込むが、整流路及び給水孔はいずれも等間隔で設けてあるので、中心が一致しない各整流路から最も近い給水孔は、それぞれ２つある。従って、中心が一致しない整流路には、２つの給水孔から均等に流体が流れ込むので、旋回流が生じないことになる。
【００１６】
請求項５に係る発明は、給水孔の数を４以上２６以下とする一方、第一整流部材の整流路の数を、給水孔の数の１．５倍以上の数とし、且つ給水孔の数と第一整流部材の整流路の数を、互いに公約数を有しない数とすることを特徴とする。
【００１７】
１．５倍とは経験的に得られた値である。１．５倍未満であれば、整流が効率的に行われず、また、給水孔から整流路に流入する際に乱流が発生して、ジェット水流の拡散を招く。
【００１８】
請求項６に係る発明は、導糸孔を有するニードルと、中空状に形成され、中空部に貫通する給水孔を備える一方、中空部にニードルが挿入されてニードルとの間に、給水孔に通じる環状の流路を構成するノズル本体と、緯糸進行方向に順番に環状の流路に配置される複数の整流部材とからなり、各整流部材は、その円周方向に等間隔に設けられ且つニードルの外周面又はノズル本体の内周面のいずれか一方から他方の側及び軸方向にそれぞれ延在する複数の整流フィンを有し、隣接する整流フィンにより画定される整流溝を整流路として有する、流体噴射式織機の緯入れノズルにおいて、第一整流部材と第二整流部材の各整流路の数を、６以上４０以下で且つ第二整流部材の整流路の数を、第一整流部材の整流路の数に対してＫ倍あるいは１／Ｋ倍の整数に定めると共に、Ｋは２以上の整数とし、第一整流部材の整流路あるいは整流フィンのうちいずれかの中心と、第二整流部材の整流路あるいは整流フィンのうちいずれかの中心とを一致することを特徴とする。
【００１９】
また、請求項７に係る発明は、複数の整流部材を構成する第一および第二整流部材について、第一整流部材は、円周方向に等間隔にかつ軸方向に延在すべく設けられ整流孔を整流路として有するとともに、第二整流部材は、円周方向に等間隔に設けられかつニードルの外周面又はノズル本体から他方の側および軸方向にそれぞれ延在する複数の整流フィンを有し、隣接する整流フィンにより画定される整流溝を整流路として有する緯入れノズルを前提とし、第一整流部材と第二整流部材の各整流路の数を、請求項６に係る発明と同様とするとともに、第一整流部材の整流孔の中心と、第二整流部材の整流溝または整流フィンのうちいずれかの中心とを一致することを特徴とする。
【００２０】
第一整流部材の整流路の数と第二整流部材の整流路の数との関係が２倍以上の整数倍の関係を満たしながら整流路等の中心同士を一致する場合は、整数倍以外の公約数２を有する従来品に比べて、整流路の中心同士が一致する数が大幅に増え、ジェット流の断面形状が円形に近くなる。
【００２１】
請求項８に係る発明は、請求項６，７に係る発明の下位概念であって、給水孔の数を４以上２６以下とする一方、第一整流部材の整流路の数を給水孔の数の１倍以上の整数倍の数とし、且つ給水孔の中心と第一整流部材の整流フィンあるいは整流路のうちいずれかの中心とを一致することを特徴とする。
【００２２】
請求項９に係る発明は、第一整流部材の整流フィンと第二整流部材の整流フィンとの間には、隙間が設けてあることを特徴とする。好ましくは、隙間は０．１ｍｍ以上数ｍｍ以下とする。
【００２３】
０．１ｍｍ未満では第一整流部材の整流フィンと、第二整流部材の整流路が重なり合う場合に、流体が第二整流部材の整流路に流れ難くなり、逆に１０ｍｍを越えれば、隙間で乱流が発生したりして、いずれのときも整流機能が低下する。
【００２４】
請求項１０に係る発明は、第二整流部材の整流路の数を第一整流部材の整流路の数よりも多くしてあることを特徴とする。
【００２５】
このようにすれば、整流効果が高まる。
【００２６】
好ましくは、第一整流部材及び第二整流部材の整流路の数を、ともに１５以上３５以下とする。
【００２７】
このようにすれば、整流効果が確実に得られる。
【００２８】
請求項１１に係る発明は、請求項４，６，７，８に係る発明の下位概念であって、第一整流部材と第二整流部材をノズル本体又はニードルに固定し、ノズル本体とニードルのうち整流部材を固定する方と、第一整流部材と、第二整流部材の少なくとも２つに係合部をそれぞれ設け、係合部が、給水孔の中心、第一整流部材の整流路あるいは整流フィンのうちいずれかの中心、及び第二整流部材の整流路又は整流フィンのうちいずれかの中心のうち２以上を一致させることを特徴とする。
【００２９】
このようにすれば、部品同士の中心を合わせる作業が容易になる。
【００３０】
【発明の実施の形態】
流体噴射式織機の緯入れノズルは図１に示すように、ニードル１をノズル本体２の中空部３に挿入し、ニードル１の先部とノズル本体２の間に環状の流路を形成し、その流路の後部を環状室４とし、その流路の先部に第一、第二整流部材５、６を圧入して緯糸進行方向に順番に配置し、第一、第二整流部材５，６とニードル１との間に流路を形成し、ニードル１と第二整流部材６の先端との間に流体の噴射孔７を形成してある。筒状をなすノズルホルダー８の先部の挿入孔９にノズル本体２を通し、ノズル本体２の先部外側にノズルキャップ１０をねじこんでノズルホルダー８にノズル本体２を固定し、ノズルホルダー８内の送水路１１に連通する環状溝１２を、ノズル本体２の外周面に形成し、環状溝１２と環状室４を連通する複数の給水孔１３を、ノズル本体２の円周方向に等間隔で傾斜して形成してある。
【００３１】
ニードル１は、導糸孔１４をその軸線方向に貫通しており、環状の流路に面する外径部分を段差状に細くし且つ先細り形状とし、その先端部を噴射孔７よりも突出させてある。また、ニードル１は、その基部側をノズル本体２にネジで連結し、ネジでの連結部分と環状室４との間の部分では、ノズル本体２の内面とＯリングでシールしてある。
【００３２】
ノズル本体２は、噴射孔７よりも先端側の内径を段差状に狭くすることによって、第二整流部材５を環状室４から脱出不能に収容する。ノズル本体２は、ノズルホルダー８の挿入孔９との間をＯリングでシールしてある。また、ノズルキャップ１０の端面とノズルホルダー８の挿入孔９の近傍とノズル本体２をＯリングでシールしてある。
【００３３】
第一整流部材５は図１又は図２に示すように、環状室４よりも緯糸進行方向側に配置されており、円筒状のワッカ１５の内側に整流フィン１６を円周方向に沿って等間隔をあけて複数設けてある。整流フィン１６は、ニードル１の軸線を中心とする放射方向については、ワッカ１５の内周面からニードル１の外周面に達する手前まで延長し、整流フィン１６とニードル１の外周面との間に間隔をあけ、軸線方向については、ワッカ１５の環状室４側の端面から第二整流部材６側の端面の手前まで延長してある。隣接する整流フィン１６，１６の間を整流路としての整流溝１７とし、整流溝１７内に流体を通過させると共に、整流フィン１６とニードル１の外周面との間隔にも流体を通過させる。
【００３４】
第二整流部材６は図１又は図２に示すように、ワッカ１８の内周面を噴射孔７に向かって径が小さくなるテーパ状に形成し、ワッカ１８の内側に整流フィン１９を円周方向に沿って等間隔をあけて複数設けてある。テーパー状のワッカ１８の内周面は、噴射孔７の手前までは急な勾配で、その後は緩やかな勾配としてある。その整流フィン１９は、ニードル１の軸線を中心とする放射方向については、ワッカ１８の内周面からニードル１の外周面に達する手前まで延長し、整流フィン１９とニードル１の外周面との間に間隔をあけると共に、軸線方向については、噴射孔７に近づくにつれて放射方向の幅が狭くなる三角形状で、第一整流部材５側の端面からテーパーの勾配が変わる境目まで延長してある。また、隣接する整流フィン１９，１９の間に整流溝２０を設けてある。
【００３５】
図１に示すように、第一整流部材５の整流フィン１６と第二整流部材６の整流フィン１９との間には隙間２１をあけてある。隙間２１は、０．１ｍｍ以上数ｍｍ以下とする。
【００３６】
図２には、第一整流部材５の整流溝１７の数と第二整流部材６の整流溝２０の数を、６以上４０以下で且つ互いに公約数を有しない数とし、給水孔１３の数を４以上２６以下にし、第一整流部材５の整流溝１７の数を給水孔１３の数の１．５倍以上の数とし、且つ給水孔１３の数と第一整流部材５の整流溝１７を互いに公約数を有しない数とした一例が示してある。図面では、給水孔１３の数が７、第一整流部材５の整流溝１７の数が１５、第二整流部材６の整流溝２０の数が１７としてある。
【００３７】
また、上述した条件を満足する給水孔１３の数と第一整流部材５の整流溝１７の数との関係が表１には具体的に示してある。なお、給水孔１３の数が１３以上２６以下のときの第一整流部材５の整流溝１７の数との関係は、データが膨大になるので省略してある。給水孔１３の数が６のときの第一整流部材５の整流溝１７の数と第二整流部材６の整流溝２０の数との関係が表２に示してある。なお、給水孔１３の数が６以外の数のときの、第一整流部材５の整流溝１７の数と第二整流部材６の整流溝２０の数との関係は、データが膨大になるので省略してある。
【００３８】
【表１】
2004137638.tif 000003
【００３９】
【表２】
2004137638.tif 000004
【００４０】
給水孔１３の数と第一整流部材５の整流溝１７の数との関係は、給水孔１３の数が６から１２で、第一整流部材５の整流溝１７の数が１２から３６の範囲が望ましい。また、第一整流部材５の整流溝１７の数と第二整流部材６の整流溝２０の数を１５から３５の範囲にすることが望ましい。第二整流部材６の整流溝２０の数を、給水孔１３の数と、第一整流部材５の整流溝１７の数よりも多くすることが、整流効果を高める上で望ましい。第二整流部材６の整流溝２０の数を第一整流部材５の整流溝１７の数の近くの数にすると、乱流が生じにくくなる効果が向上する。
【００４１】
図３には、給水孔１３の数を４以上１２以下とする一方、第一整流部材５の整流溝１７の数を、給水孔１３の数の１倍以上の整数倍の数とし、且つ給水孔１３の中心と第一整流部材５の整流溝１７の中心を一致した一例が示してある。図面では、給水孔１３の数を４に、第一整流部材５の整流溝１７の数を８にして、２倍にしてある。
【００４２】
第一整流部材５の８つの整流溝１７のうち４つの中心を、給水孔１３の中心と一致してあるので、給水孔１３からその４つの整流溝１７には、流体が真っ直ぐ流れ込む。一方、整流溝１７のうち残りの４つは、隣接する２つの給水孔１３と同じ距離（角度）となるので、２つの給水孔１３から各整流溝１７に均等に流体が流れ込む。従って、流体の旋回流の発生が抑制され、噴射孔７からのジェット流の拡散を抑えられる。
【００４３】
図３に対し、給水孔１３の中心と第一整流部材５の整流フィン１６の中心とを一致させるように配置することも考えられる。つまり、ワッカ１５を軸心を中心に約２２．５°回転されたものを想定したとき、第一整流部材５の８つの整流フィン１６のうち４つの中心を、給水孔１３の中心と一致するように配置されるため、給水孔１３からの流体が整流フィン１６により左右に分かれ、隣接する２つの整流溝１７に均等に流れ込む。従って、流体の旋回流が抑制され、噴射孔７からのジェット流の拡散が抑えられる。
【００４４】
図４には、第一整流部材５と第二整流部材６の各整流溝１７，２０の数を６以上４０以下で、且つ第二整流部材６の整流溝２０の数を第一整流部材５の整流溝１７の数に対してＫ倍あるいは１／Ｋ倍の整数に定めると共に、Ｋは２以上の整数とし、第一整流部材５の整流溝１７の中心あるいは整流フィン１６の中心のいずれかと、第二整流部材６の整流溝２０あるいは整流フィン１９のいずれかの中心とが一致する一例を示してある。図面では、第一整流部材５の整流溝１７の数を６とし、第二整流部材６の整流溝２０の数を１２とし、第一整流部材５の整流フィン１９の中心と、第二整流部材６の整流溝２０の中心を一致してある。
【００４５】
図４で示した第二整流部材６を、軸線を中心として１５度回転させると、図５に示すように、第一整流部材５の整流フィン１６の中心と、第二整流部材６の整流フィン１９の中心が一致する。
【００４６】
また、上述した第一整流部材５の整流溝１７と第二整流部材６の整流溝２０の数の条件を満足する関係が表３に示してある。なお、第一整流部材５の整流溝１７の数が７以下のときの第一整流部材５の整流溝２０の数との関係は省略してある。
【００４７】
【表３】
2004137638.tif 000005
【００４８】
給水孔１３の数を４以上２６以下とする一方、第一整流部材５の整流溝１７の数を給水孔１３の数の１倍以上の整数倍の数とするという条件を満足する関係が表４に具体的に示してある。なお、給水孔１３の数が１３以上２６以下のときの第一整流部材５の整流溝１７の数との関係は省略してある。
【００４９】
【表４】
2004137638.tif 000006
【００５０】
図６は、ノズル本体２とニードル１のうち整流部材５，６を固定する方と、第一整流部材５と、第二整流部材６の少なくとも２つに係合部２２，２３をそれぞれ設け、係合部が、給水孔１３の中心、第一整流部材５の整流溝１７又は整流フィン１６の中心、及び第二整流部材６の整流溝２０又は整流フィン１９の中心のうち２以上を一致させる一例を示したものである。図面では、ノズル本体２に整流部材５，６を固定し、第一整流部材５の整流溝１７の中心、第二整流部材６の整流溝２０の中心を一致させる係合部２２、２３を、第一整流部材５と第二整流部材６の突き合わせる端面同士に凹凸形状として設けてある。このような係合部２２、２３は、給水孔１３の中心と第一整流部材５の整流溝１７の中心または整流フィン１６の中心とを一致するように配置すべく、ノズル本体２の中空部３の内周面と第一整流部材５の外周面との間に形成されてもよい。また、前者と後者を同時に設けることも考えられる。
【００５１】
第二整流部材６の形状は、前述した形状に限られず、図７に示すように、整流溝１７を、軸線方向については噴射孔７まで延長したものでも良い。また、図８に示すように、整流フィン１９を設ける部品２４と、断面円弧状のオリフィスからなる部品２５との二部品から構成しても良い。さらに、図９に示すように、整流フィン１９を設ける部品２４と、噴射孔７を有する単なるドーナツ板からなる部品２５との二部品から構成しても良い。また、第一整流部材５の形状も、前述した形状に限られず、図８に示すように、整流フィン１６を軸線方向については環状室４に突入するまで延長しても良い。なお、上記した第一整流部材５の整流溝１７を、整流孔に置き換えることも可能である。より具体的には、図１２に示すように、ドーナツ状に形成されノズル本体２とニードル１との間に設けられる第一整流部材５に、円周方向に等間隔に丸孔または角孔により形成される整流孔３０を設けることが考えられる。この場合、上記した整流溝の数は、整流孔の数に読み替えればよい。さらには、ノズル本体２をノズルホルダー８と別体に設けているが、一体に設けてもよい。
【００５２】
図１０の（イ）は、第一整流部材５の整流溝１７の数を１６、第二整流部材６の整流溝２０の数を１７とした場合に予想されるジェット流の断面形状を示し、図１０の（ロ）は、第一整流部材５の整流溝１７の数を１５、第二整流部材６の整流溝２０の数を１７とした場合に予想されるジェット流の断面形状を示しており、何れも真円に近い形状となっていることが理解できる。
【００５３】
各種部材の数や中心の位置合わせに関する実験結果が、表５に示してある。実験の織機条件は、織物通し幅：１７８０ｍｍ、織物：ポリエステルタフタ、緯糸：ナイロン７０ｄ（デニール）／ポリエステル７５ｄ、ポンプからの供給圧力１００ｋｇｆ／ｃｍ２、使用水量２．２ｃｃ／ｐｉｃｋである。
【００５４】
【表５】
2004137638.tif 000007
【００５５】
この表５からは以下のことが把握できる。整流フィン１６，１９の数を増やしても、織物に縦筋が付くことを改善できない。給水孔１３の中心と第一整流部材５の中心の位置合わせ、第一整流部材５の整流溝１７の中心と第二整流部材６の整流溝２０の中心の位置合わせが、品位を改善するポイントとなる。
【００５６】
【発明の効果】
本発明のようにすれば、ニードルとノズル本体の間から噴射されるジェット流の断面形状が、従来よりも真円に近い形状になり、経糸開口に衝突し難くなり、織物欠点（縦筋）を効果的に防止できる。
【図面の簡単な説明】
【図１】流体噴射式織機の緯入れノズルの構造を示す断面図である。
【図２】（イ）（ロ）
図１のＡ−Ａ線断面図、図１のＢ−Ｂ線断面図である。
【図３】給水孔数が４、第一整流部材の整流溝数が８の例を示す断面図である。
【図４】（イ）（ロ）
（イ）図は、給水孔数が６、第一整流部材の整流溝数が６の例を示す断面図、
、（ロ）図は、そのときの第二整流部材の整流溝数が１２の例を示す断面図である。
【図５】図４（ロ）の整流溝を１５度回転させた状態を示す断面図である。
【図６】第一整流部材と第二整流部材の係合部を示す断面図である。
【図７】第二整流部材の変形例を示す断面図である。
【図８】第一整流部材と第二整流部材の変形例を示す断面図である。
【図９】第二整流部材の変形例を示す断面図である。
【図１０】（イ）（ロ）
異なる条件でのジェット流の断面形状を示す一例である。
【図１１】従来のジェット流の断面形状を示す一例である。
【図１２】第一整流部材の整流路を整流孔で形成した例を示す断面図である。
【符号の説明】
１　ニードル
２　ノズル本体
３　中空部
５　第一整流部材
６　第二整流部材
１３　給水孔
１４　導糸孔
１６、１９　整流フィン
１７、２０、３０　整流路（整流溝、整流孔）
２１　隙間
２２、２３　係合部
【図１】
2004137638.tif 000008
【図２】
2004137638.tif 000009
【図３】
2004137638.tif 000010
【図４】
2004137638.tif 000011
【図５】
2004137638.tif 000012
【図６】
2004137638.tif 000013
【図７】
2004137638.tif 000014
【図８】
2004137638.tif 000015
【図９】
2004137638.tif 000016
【図１０】
2004137638.tif 000017
【図１１】
2004137638.tif 000018
【図１２】
2004137638.tif 000019